(57)【特許請求の範囲】
【請求項１】
枚葉紙を、回転弁を用いて横揃えする横引き寄せ装置の負圧レベルを制御する方法であって、
前記横引き寄せ装置の加速段階の間に、前記横引き寄せ装置の吸引型引き寄せレールに高レベルの負圧を印加することと、
前記吸引型引き寄せレールが、最大、かつ一定の速度に達すると、前記吸引型引き寄せレールに中間レベルの負圧を印加することと、
前記吸引型引き寄せレールが所望の引き寄せ経路に到達した後、前記吸引型引き寄せレールの最終位置に到達するまで、前記吸引型引き寄せレールに低レベルの負圧を印加し、またはどのような負圧をも印加しないことと
有する、横引き寄せ装置の負圧レベルを制御する方法。
【請求項２】
前記吸引型引き寄せレールの戻り運動の間には、前記吸引型引き寄せレールに負圧を印加しないことを有する、請求項１に記載の方法。
【請求項３】
枚葉紙を処理する機械に供給される枚葉紙を横揃えする横引き寄せ装置の負圧レベルを制御する装置であって、
前記の枚葉紙を処理する機械のサイクルに合わせて運動することができ、異なる圧力レベルの吸引空気の作用を受けることができる吸引型引き寄せレールと、
制御溝が形成されている回転部分を有する、前記吸引空気を制御する回転弁と、
負圧源への接続開口、前記吸引型引き寄せレールへの接続開口、および換気開口を形成する構造と、
を有し、
前記制御溝は、動作サイクルの間に少なくとも１回前記全ての開口を相互に連結するような長さを有している、
横引き寄せ装置の負圧レベルを制御する装置。
【請求項４】
前記制御溝には、該制御溝の残りに対して小さい通路横断面をもつ終端部が形成されている、請求項３に記載の装置。
【請求項５】
前記吸引型引き寄せレールを前記回転弁に連結する吸引管路を有し、該吸引管路は、運動している前記吸引型引き寄せレールへの開口の位置に、前記吸引管路の直径よりも数倍広い幅を有する、請求項４に記載の装置。
【請求項６】
前記全ての開口は１８０度より小さい角度内に配置されている、請求項３に記載の装置。
【請求項７】
前記回転弁は、前記の枚葉紙を処理する機械によって機械的カップリングを介して駆動可能である、請求項３に記載の装置。
【請求項８】
前記回転弁は、調整された電動機によって駆動可能である、請求項３に記載の装置。
【発明の詳細な説明】
【０００１】
【発明の属する技術分野】
本発明は、吸引空気を用いて動作をすることができ、引き寄せ経路に依存して、異なる圧力レベルの吸引空気を用いて動作することができる引き寄せレールを使用して、枚葉紙の横揃えをする横引き寄せ装置の負圧レベルを制御する方法および装置に関する。
【０００２】
【従来の技術】
このような装置はＤＥ３５２１６９１Ａ１によって知られている。この文献は、枚葉紙の横揃えのための引き寄せレール用の吸引空気を制御する回転弁を教示している。この場合、回転弁の制御溝は、該制御溝が新しい空気供給用の開口に到達したときには、既に、吸引供給用の流入開口が閉鎖しているように配置されている。この方法は、高い周波数で切換えを行って新しい空気または圧縮空気を制御溝に供給するための付加的な電磁弁の配置を必要とする。この方法によって、引き寄せレールと枚葉紙との間の保持力は連続的に低下させられる。
【０００３】
【発明が解決しようとする課題】
本発明の目的は、揃えようとする枚葉紙を確実に横当てに送り、低い保持力で引き寄せ経路に無関係に、ほぼ、同じ速度で横当てに衝突することを保証する方法および簡単な装置を提供することにある。
【０００４】
【課題を解決するための手段】
上記の目的は、本発明に従って、請求項１および請求項３の特徴によって達成される。
【０００５】
横揃えされるべき枚葉紙がソフトに横当てで揃えられるので、枚葉紙の横縁の損傷が防止されることは、本発明の１つの利点である。同時に、横当てから枚葉紙が跳ね返ることも防止されるので、枚葉紙を非常に正確に、枚葉紙を処理する機械に供給することができる。
【０００６】
有利な仕方で、枚葉紙の横揃えのための引き寄せ装置の加速段階の間において、枚葉紙と引き寄せレールとの間に高い保持力が生成される。一定速度で枚葉紙を搬送するために小さな保持力のみが必要であるので、圧力は短い加速行程の後に最短時間で降下する。引き寄せ行路の最後に到達したとき、吸引空気供給用の開口は完全に覆われ、引き寄せレールは、制御溝を介して大気へのバイパス開口と連結状態になる。それによって、保持力は、引き寄せレールと枚葉紙との間にはもはや印加されない。この状態は、引き寄せレールがその戻り運動を行うときにも維持される。
【０００７】
さらに大きな利点は、引き寄せ行路が大きな範囲（約２から１０ｍｍ）で変化することが可能であり、その場合に横当てにおける到来条件（速度および保持力）が一定に保たれることである。このことによって、頑丈な枚葉紙行程が可能になる。
【０００８】
本発明の対象のさらに有利な実施態様においては、制御溝は、回転弁の全ての開口、すなわち、吸引源への開口、吸引型引き寄せレールへの開口、およびバイパスへの開口が、１作業サイクルの間に少なくとも１回相互に連結されるような長さを有している。さらに有利な実施態様においては、開口の配置が、１８０度よりも小さい角度範囲に亘って設定されている。
【０００９】
本発明の対象のさらに発展した有利な構成においては、制御溝がその終端領域において、制御溝の前方領域におけるよりも小さな通路横断面を備えることが意図されている。この方法によって、エネルギー消費は、バイパス弁における圧力低下に起因して少なく保たれる。
【００１０】
【発明の実施の形態】
次に、図面を参照して本発明の実施形態を説明する。
【００１１】
枚葉紙輪転印刷機１は給紙機２、所定数の印刷ユニット３、４、しかし少なくとも１つの印刷ユニット３または４、および排紙装置６を備えている。枚葉紙９は、分離ユニット１１を用いて給紙機２の給紙パイル７から分離され、給紙テーブル１２を経由して枚葉紙輪転印刷機１に搬送される。給紙テーブル１２の、印刷機に向けられている端部には、枚葉紙９の横縁を揃えるための横引き寄せ装置１０と枚葉紙の前縁を揃えるための前当て８が設けられている。揃え処理が行われた後に、枚葉紙９は揺動できるように取り付けられた搬送くわえづめ１３によって受け取られ、搬送くわえづめ１３は、その枚葉紙９を、枚葉紙輪転印刷機１の給紙胴１６のくわえづめ装置１５に渡す。
【００１２】
枚葉紙９を横揃えする装置１０は、とりわけ、枚葉紙搬送平面の側方に配置された横当て１４を備えている。いわゆる吸引動作型の引き寄せレール１７が、カム板によって、枚葉紙を処理する機械９のサイクルに合わせて駆動される。吸引型引き寄せレール１７の吸引空気の供給を制御するために、ハウジング１９を有する回転弁１８が設けられている。ハウジング１９の上部には、負圧管路２１が設けられ、負圧管路２１は、吸引型引き寄せレール１７における吸引開口２２に接している。この負圧管路２１は、可動の吸引型引き寄せレール１７へ開口する開口部２０において、吸引管路２１の直径より数倍大きい幅Ｂを有するので、吸引型引き寄せレール１７は、引き寄せ運動の間に、常に、吸引管路２１と作用上の結合状態にある（図３）。
【００１３】
回転弁１８は、回転できるように支持され、制御溝２６をもつ内部部分２４を有し、その内部部分２４は、枚葉紙を処理する機械のサイクルに合わせて駆動される。その駆動は、例えば、カムや機械的カプリングを介して枚葉紙を処理する機械によって直接行われ、または、別個の駆動装置、例えば、電動機によって行なうことができる。後者の場合には、吸引型引き寄せレール１７の運動に比較して速度に依存した進みまたは遅れが調整される。矢印で示された回転方向に見て吸引管路２１への開口２７の後ろに大気へのバイパス開口２８が配置されている。開口２７と開口２８との間の距離は角度にしてψ＝約３０度の大きさである。
【００１４】
内部部分２４の回転方向に見て開口２７の前に、角度ψ＝約９０度の位置に負圧源３１への開口２９が配置されている。
【００１５】
制御溝２６は、内部部分２４の周りに１８０度よりも小さい回転角度ψ、特に、約１３５度の角度に亘って設けられていて、１回転の間に少なくとも１度は制御溝２６が全ての開口２７、２８、２９を共通に相互に連結する長さに作られている（特に、図２参照）。
【００１６】
制御溝Ｕは、その終端領域２５に、その前方の領域におけるよりも小さな通路断面を有する。このことによって、吸引源３１が、制御溝２６を経てバイパス開口２８に連結される時間帯における過大な吸引輸送量、およびそれに伴ってエネルギー消費が回避される。
【００１７】
制御溝の開始端および終端は、吸引管路における空気柱の慣性（時間遅れ）に対する事前の調整によって、例えば、枚葉紙機械の最大印刷速度のときに、所望の制御時間が引き寄せ板に適合するように調整される。
【００１８】
図４においては、制御溝２６が丁度、吸引管路２１への開口２７に到達し、その結果、吸引源３１が、吸引型引き寄せレール１７に連結している。この仕方によって、吸引型引き寄せレール１７、または、揃えられるべき枚葉紙９に向けられている吸引開口２２には、吸引源３１によって生成された負圧レベルが作用する。
【００１９】
枚葉紙の横揃えの加速段階は、制御溝２６が、吸引源３１への開口２９と、吸引型引き寄せレールへの開口２７とを相互に完全に連結し、枚葉紙と吸引型引き寄せレールとの間に負圧が形成されると直ちに開始する（前制御）。この時点においては、最も高い負圧が引き寄せレール１７に現れ、枚葉紙９に加わる保持力は最大になる。負圧は、図５によって示されているように、制御溝２６がバイパス開口２８に到達するまで、高い負圧レベルで吸引型引き寄せレール１７に加わる。
【００２０】
この時点から、吸引型引き寄せレール１７の速度は一定に保持され、制御溝２６は、バイパス２８を通って換気されるので、吸引型引き寄せレール１７には、ただ、僅かの保持力のみが加わる。
【００２１】
吸引型引き寄せレール１７の引き寄せ終了は、負圧源３１の開口２９が回転弁１８の内部部分２４によって覆われることによって定まる。今となっては、吸引型引き寄せレール１７の開口２７は制御溝２６を経てバイパス開口２８と連結するのみである。この仕方によって、印加されている負圧は急激に撤去され、保持力は、もはや、吸引型引き寄せレール１７から枚葉紙９に加えられない（特に図６参照）。次に、吸引型引き寄せレール１７の運動における制動段階が静止まで行われる。
【００２２】
吸引型引き寄せレール１７の戻り運動の間、吸引型引き寄せレール１７の開口２７は、回転弁１８の内部部分２４によって覆われたままの状態に維持される（図７）。制御溝２６の先端が負圧源３１の開口２９までさらに回転する間に、揃えられた枚葉紙９は、枚葉紙を処理する印刷機に供給され、次の枚葉紙が前当て８に到達し、それと共に、次の横揃えのために準備される。
【図面の簡単な説明】
【図１】  枚葉紙輪転印刷機を概略的に表す図である。
【図２】  回転弁を有する、本発明の横引き寄せ装置を概略的に表す断面図である。
【図３】  枚葉紙搬送方向に見た吸引管路の断面図である。
【図４】  回転弁の回転部分の位相変化を示す図２の断面図である。
【図５】  回転弁の回転部分の位相変化を示す図２の断面図である。
【図６】  回転弁の回転部分の位相変化を示す図２の断面図である。
【図７】  回転弁の回転部分の位相変化を示す図２の断面図である。
【符号の説明】
１ 枚葉紙輪転印刷機
２ 給紙機
３ 印刷ユニット
４ 印刷ユニット
６ 排紙装置
７ 給紙パイル
８ 前当て
９ 枚葉紙
１０ 横引き寄せ装置
１１ 分離ユニット
１２ 給紙テーブル
１３ 搬送くわえづめ
１４ 横当て
１５ くわえづめ装置
１６ 給紙胴
１７ 吸引型引き寄せレール
１８ 回転弁
１９ ハウジング１９（１８）
２０ 開口（２１）
２１ 負圧管路
２２ 吸引開口（１７）
２３ 下側（１７）
２４ 内部部分
２５ 終端領域（２６）
２６ 制御溝
２７ 開口（１８−２１）
２８ バイパス開口
２９ 開口（１８−３１）
３１ 負圧源用の接続部
Ｂ 幅（２１）
ψ 角度
【図１】
0004723053.tif 000002
【図２】
0004723053.tif 000003
【図３】
0004723053.tif 000004
【図４】
0004723053.tif 000005
【図５】
0004723053.tif 000006
【図６】
0004723053.tif 000007
【図７】
0004723053.tif 000008